(57)【要約】【課題】本発明は、本人のメッセージの内容が改変されるおそれがなく、かつこのメッセージを適切なタイミングで本人が希望する人に対して送信することができるメッセージ配信システム及びメッセージ配信方法の提供を目的とする。【解決手段】本発明は、通信端末と通信可能なサーバを備えるメッセージ配信システムであって、上記サーバが、ユーザ識別情報登録手段と、第一メッセージ情報登録手段と、送信操作者情報登録手段と、送信先情報登録手段と、送信先情報、第一メッセージ情報及び上記送信操作者情報登録手段によって記憶されている第二ユーザの識別情報の情報に対するアクセス制限手段と、付加情報登録手段と、メッセージ作成手段と、上記メッセージ情報を上記送信先情報登録手段に記憶されている送信先に送信するメッセージ送信手段とを備えることを特徴とする。【選択図】図１
2014056324.tif 000002
【特許請求の範囲】
【請求項１】
通信端末と通信可能なサーバを備えるメッセージ配信システムであって、
上記サーバが、
上記通信端末のユーザの識別情報を記憶するユーザ識別情報登録手段と、
上記ユーザ識別情報登録手段に記憶された第一ユーザが要求する送信メッセージ登録要求情報に基づいて、第一メッセージ情報を上記第一ユーザの識別情報と関連付けて記憶する第一メッセージ情報登録手段と、
上記送信メッセージ登録要求情報に基づいて、第一メッセージ情報を送信操作する第二ユーザの識別情報を上記第一ユーザの識別情報と関連付けて記憶する送信操作者情報登録手段と、
上記送信メッセージ登録要求情報に基づいて、上記第一メッセージ情報の送信先である複数の送信先情報を上記第一ユーザの識別情報と関連付けて記憶する送信先情報登録手段と、
上記第一メッセージ情報登録手段によって記憶されている第一メッセージ情報、上記送信操作者情報登録手段によって記憶されている第二ユーザの識別情報、及び上記送信先情報登録手段によって記憶されている送信先情報に対するアクセスを上記第一ユーザのみに許容するアクセス制限手段と、
上記第二ユーザの付加情報登録要求情報に基づいて、第二メッセージ情報を上記第一メッセージ情報と関連付けて記憶する付加情報登録手段と、
上記付加情報登録要求情報に基づいて、上記第一メッセージ情報に上記第二メッセージ情報を付加したメッセージ情報を作成するメッセージ作成手段と、
上記第二ユーザの送信要求情報に基づいて、上記メッセージ情報を上記送信先情報登録手段に記憶されている送信先に送信するメッセージ送信手段と
を有することを特徴とするメッセージ配信システム。
【請求項２】
上記サーバと通信可能な通信端末と、
この通信端末と通信可能な携帯用リーダライタとをさらに備え、
上記通信端末が、上記携帯用リーダライタと近距離無線通信可能な非接触ＩＣチップを有し、
上記サーバが、上記非接触ＩＣチップを上記ユーザの識別情報と関連付けて記憶する通信端末登録手段を有する請求項１に記載のメッセージ配信システム。
【請求項３】
上記サーバが、
上記第二ユーザの見積要求情報に基づいて、見積依頼する見積依頼手段をさらに有する請求項１又は請求項２に記載のメッセージ配信システム。
【請求項４】
上記サーバが、
上記第二ユーザの見積要求情報に基づいて、自動的に見積結果を算出する見積結果算出手段をさらに有する請求項１又は請求項２に記載のメッセージ配信システム。
【請求項５】
上記送信メッセージ登録要求情報に基づいて、上記第二ユーザに対して第一ユーザの送信操作者に指定されたことを通知する送信操作者通知手段と、
上記第一ユーザの送信操作者に指定されたことに対する上記第二ユーザの拒否要求情報に基づいて、第一ユーザに拒否情報を通知する拒否情報通知手段とをさらに有する請求項１から請求項４のいずれか１項に記載のメッセージ配信システム。
【請求項６】
上記送信先情報登録手段が、通信端末に第一ユーザ以外のユーザの識別情報を送信先候補リストとしてリスト表示し、このリストに対する上記第一ユーザの選択に基づいて上記送信メッセージ登録要求情報を生成する請求項１から請求項５のいずれか１項に記載のメッセージ配信システム。
【請求項７】
上記送信操作者情報登録手段が、通信端末に第一ユーザ以外のユーザの識別情報を送信操作者候補リストとしてリスト表示し、このリストに対する上記第一ユーザの選択に基づいて上記送信メッセージ登録要求情報を生成する請求項１から請求項６のいずれか１項に記載のメッセージ配信システム。
【請求項８】
上記第二ユーザの通信端末にこの第二ユーザを送信操作者として指定した第一ユーザによって指定された送信先の合計数を表示する請求項１から請求項７のいずれか１項に記載のメッセージ配信システム。
【請求項９】
上記第一メッセージ情報登録手段が、遺言情報に関するメッセージを登録するための画面を表示し、
上記第二メッセージ情報登録手段が、葬儀情報に関する情報を登録するための画面を表示する請求項１から請求項８のいずれか１項に記載のメッセージ配信システム。
【請求項１０】
通信端末と通信可能なサーバを用いたメッセージ配信方法であって、
通信端末のユーザの識別情報を記憶するユーザ識別情報登録ステップと、
上記ユーザ識別情報登録ステップにおいて記憶された第一ユーザが要求する送信メッセージ登録要求情報に基づいて、第一メッセージ情報を上記第一ユーザの識別情報と関連付けて記憶する第一メッセージ情報登録ステップと、
上記送信メッセージ登録要求情報に基づいて、第一メッセージ情報を送信操作する第二ユーザの識別情報を上記第一ユーザの識別情報と関連付けて記憶する送信操作者情報登録ステップと、
上記送信メッセージ登録要求情報に基づいて、上記第一メッセージ情報の送信先である複数の送信先情報を上記第一ユーザの識別情報と関連付けて記憶する送信先情報登録ステップと、
上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、
上記第二ユーザの付加情報登録要求情報に基づいて、第二メッセージ情報を上記第一メッセージと関連付けて記憶する付加情報登録ステップと、
上記付加情報登録要求情報に基づいて、上記第一メッセージ情報に上記第二メッセージ情報を付加したメッセージ情報を作成するメッセージ作成ステップと、
上記第二ユーザの送信要求情報に基づいて、上記メッセージ情報を上記送信先情報登録手段に記憶されている送信先に送信するメッセージ送信ステップと
を有することを特徴とするメッセージ配信方法。
【発明の詳細な説明】
【技術分野】
【０００１】
本発明は、メッセージ配信システム及びメッセージ配信方法に関する。
【背景技術】
【０００２】
従来、個人情報や、死後の希望、他人に対するメッセージ等を予め生前に書き留めておき、これを死後に開示するためのエンディングノートが用いられている。このエンディングノートに記載される具体的な情報としては、例えば、葬儀方法（参列者、葬儀形式等）についての希望、金銭、貴重品等の財産情報、個人のプロフィール情報等が挙げられる。
【０００３】
このようなエンディングノートは、通常、本人が自身の机の引き出し等に保管しておき、これを本人の死後に近親者等が発見することによって開示される。それゆえ、従来のエンディングノートにあっては、例えば本人が葬儀の参列者についての希望を書き留めておいた場合であっても、このエンディングノートを見つけた近親者にとって都合の悪い人が記載されている場合には、かかる人物はこの近親者によって参列者として招待されない等、本人の希望が発見者の都合で変えられるおそれを有している。
【０００４】
このような状況に鑑みて、本人の生存が確認できなかったときに予め登録された被配信者に対して遺言メッセージを配信する遺言配信サービスシステムが発案されている。（特開２００５−１４１６０７号公報参照）。この遺言配信サービスシステムは、本人に対し生存確認を行うためのメールを配信し応答があるか否かによって生存を確認し、応答がなかった場合に予め登録された被配信者に対して遺言メッセージを配信している。
【０００５】
しかし、上記システムにあっては、本人が定期的にメールを確認しておく必要があり、本人がメールの確認を怠ると、誤って遺言メッセージが配信されてしまうおそれがある。
【先行技術文献】
【特許文献】
【０００６】
【特許文献１】特開２００５−１４１６０７号公報
【発明の概要】
【発明が解決しようとする課題】
【０００７】
本発明はこのような事情に鑑みてなされたものであり、本人のメッセージの内容が改変されるおそれがなく、かつこのメッセージを適切なタイミングで本人が希望する人に対して送信することができるメッセージ配信システム及びメッセージ配信方法の提供を目的とするものである。
【課題を解決するための手段】
【０００８】
上記課題を解決するためになされた本発明のメッセージ配信システムは、通信端末と通信可能なサーバを備えるメッセージ配信システムであって、上記サーバが、通信端末のユーザの識別情報を記憶するユーザ識別情報登録手段と、上記ユーザ識別情報登録手段に記憶された第一ユーザが要求する送信メッセージ登録要求情報に基づいて、第一メッセージ情報を上記第一ユーザの識別情報と関連付けて記憶する第一メッセージ情報登録手段と、上記送信メッセージ登録要求情報に基づいて、第一メッセージ情報を送信操作する第二ユーザの識別情報を上記第一ユーザの識別情報と関連付けて記憶する送信操作者情報登録手段と、上記送信メッセージ登録要求情報に基づいて、上記第一メッセージ情報の送信先である複数の送信先情報を上記第一ユーザの識別情報と関連付けて記憶する送信先情報登録手段と、上記第一メッセージ情報登録手段によって記憶されている第一メッセージ情報、上記送信操作者情報登録手段によって記憶されている第二ユーザの識別情報、及び上記送信先情報登録手段によって記憶されている送信先情報に対するアクセスを上記第一ユーザのみに許容するアクセス制限手段と、上記第二ユーザの付加情報登録要求情報に基づいて、第二メッセージ情報を上記第一メッセージ情報と関連付けて記憶する付加情報登録手段と、上記付加情報登録要求情報に基づいて、上記第一メッセージ情報に上記第二メッセージ情報を付加したメッセージ情報を作成するメッセージ作成手段と、上記第二ユーザの送信要求情報に基づいて、上記メッセージ情報を上記送信先情報登録手段に記憶されている送信先に送信するメッセージ送信手段とを有することを特徴とする。
【０００９】
当該メッセージ配信システムは、第一メッセージ情報登録手段、送信操作者情報登録手段及び送信先情報登録手段により、第一メッセージ情報、メッセージ送信操作者及びメッセージ送信先を第一ユーザの識別情報と関連付け記憶する。また、付加情報登録手段により、第二ユーザの付加情報登録要求に基づき第二メッセージ情報を第一メッセージ情報と関連付けて記憶する。そして、メッセージ作成手段により上記第一メッセージに上記第二メッセージが付加されたメッセージを作成し、メッセージ送信手段により上記送信先情報登録手段に記憶されている送信先に送信する。このため、第一メッセージ情報、メッセージ送信操作者及びメッセージ送信先を登録した第一ユーザが、メッセージを直接送信することなく、この第一ユーザが指定した送信者（第二ユーザ）の送信要求により、メッセージを送信することができる。また、メッセージの送信は、送信者の送信操作により行われるため、送信者として記憶されている第二ユーザが送信タイミングを考慮することにより、適切なタイミングでメッセージが送信される。
【００１０】
また、アクセス制限手段により、送信先情報、第一メッセージ情報及び送信操作者情報に対するアクセスはこれらの情報を登録した第一ユーザのみに許容される。これにより、メッセージの送信先、第一メッセージ情報及び送信操作者に関する情報は、これらの情報を登録した第一ユーザ以外からはアクセスできない。これにより、メッセージ送信操作者として登録された第二ユーザにはメッセージ送信先が秘匿にされたまま、メッセージが改変されることなく送信されることが可能となる。
【００１１】
また、当該メッセージ配信システムは、上記サーバと通信可能な通信端末と、この通信端末と通信可能な携帯用リーダライタとをさらに備え、上記通信端末が、上記携帯用リーダライタと近距離無線通信可能な非接触ＩＣチップを有し、上記サーバが、上記非接触ＩＣチップを上記ユーザの識別情報と関連付けて記憶する通信端末登録手段を有することが好ましい。通信端末登録手段が、通信端末の非接触ＩＣチップＩＤを用いて通信端末とユーザの識別情報とを関連付けることにより、別途ユーザに識別情報に関する情報を入力させることなく、通信端末とユーザの識別情報とを関連付けることができ、他人によるなりすましを防ぐことができる。
【００１２】
また、上記サーバが、上記第二ユーザの見積要求情報に基づいて、見積依頼する見積依頼手段をさらに有することが好ましい。見積依頼手段を有することにより、見積依頼の手続きを迅速に行うことができる。これにより、第二ユーザが見積結果を受けて第二メッセージを作成する場合は、第二メッセージ内容を早期に確定でき、メッセージを早期に送信することができる。具体的には、例えば、遺言に関するメッセージを第一メッセージとして、第二メッセージとして葬儀に関する情報を登録する際、葬儀の見積りを迅速に依頼することができ、葬儀情報を早期に特定させることができる。これにより、早期に葬儀場所を含めた遺言メッセージを送信することができる。
【００１３】
また、上記サーバが、上記第二ユーザの見積要求情報に基づいて、自動的に見積結果を算出する見積結果算出手段をさらに有してもよい。見積結果算出手段を有することにより、見積依頼の手続きを迅速に行うことができ、かつ見積結果を迅速に入手できる。このため、見積結果を受けて第二メッセージを作成する場合は、第二メッセージを迅速に確定でき、メッセージを迅速に送信することができる。
【００１４】
また、当該メッセージ配信システムは、上記送信メッセージ登録要求情報に基づいて、上記第二ユーザに対して第一ユーザの送信操作者に指定されたことを通知する送信操作者通知手段と、上記第一ユーザの送信操作者に指定されたことに対する上記第二ユーザの拒否要求情報に基づいて、第一ユーザに拒否情報を通知する拒否情報通知手段とをさらに有することが好ましい。かかる構成により、送信操作者として登録された第二ユーザが、送信操作者として登録されたことを遅滞なく知ることができる。また、第二ユーザが送信操作者となることを拒否する旨の通知を第一ユーザが受け取ることができるため、第一ユーザは、第二ユーザが送信操作者となることを拒否するか否かについて不要に気に掛ける必要がない。
【００１５】
また、上記送信先情報登録手段が、通信端末に第一ユーザ以外のユーザの識別情報を送信先候補リストとしてリスト表示し、このリストに対する上記第一ユーザの選択に基づいて上記送信メッセージ登録要求情報を生成することが好ましい。送信先を登録する場合において、ユーザの識別情報が送信先候補リストとしてリスト表示されるため、送信先の指定を容易にすることができる。また、送信先を選択することにより送信先を指定することができるので、送信先情報の入力ミス及び送信先が誤って送信されることを防ぐことができる。
【００１６】
また、上記送信操作者情報登録手段が、通信端末に第一ユーザ以外のユーザの識別情報を送信操作者候補リストとしてリスト表示し、このリストに対する上記第一ユーザの選択に基づいて上記送信メッセージ登録要求情報を生成することが好ましい。送信操作者を登録する場合において、ユーザの識別情報が送信操作者候補リストとしてリスト表示されるため、送信操作者の指定を容易にすることができる。また、選択することにより送信操作者を指定することができるので、送信操作者情報の入力ミスを防ぐことができる。
【００１７】
当該メッセージ配信システムにあっては、上記第二ユーザの通信端末にこの第二ユーザを送信操作者として指定した第一ユーザによって指定された送信先の合計数を表示することが好ましい。上記送信操作者情報登録手段によって識別情報が記憶された第二ユーザの通信端末に、メッセージ送信先の合計数が表示されることにより、メッセージ送信先の合計数を把握することができる。このため、例えば、遺言メッセージ及び葬儀情報を送信する場合において、葬儀の場所を検討する際にメッセージ送信先の合計数を参考にすることができる。
【００１８】
また、上記第一メッセージ情報登録手段が、遺言情報に関するメッセージを登録するための画面を表示し、上記第二メッセージ情報登録手段が、葬儀情報に関する情報を登録するための画面を表示することが好ましい。かかる構成により、遺言メッセージを登録することができ、かつ、遺言メッセージを付加した第一ユーザにより指定された送信操作者が、葬儀情報に関するメッセージを登録することができる。これにより、遺言メッセージを登録した第一ユーザが登録した送信先に葬儀情報を含めた遺言メッセージを送信することができる。
【００１９】
また、本発明に係るメッセージ配信方法は、通信端末と通信可能なサーバを用いたメッセージ配信方法であって、通信端末のユーザの識別情報を記憶するユーザ識別情報登録ステップと、上記ユーザ識別情報登録ステップにおいて記憶された第一ユーザが要求する送信メッセージ登録要求情報に基づいて、第一メッセージ情報を上記第一ユーザの識別情報と関連付けて記憶する第一メッセージ情報登録ステップと、上記送信メッセージ登録要求情報に基づいて、第一メッセージ情報を送信操作する第二ユーザの識別情報を上記第一ユーザの識別情報と関連付けて記憶する送信操作者情報登録ステップと、上記送信メッセージ登録要求情報に基づいて、上記第一メッセージ情報の送信先である複数の送信先情報を上記第一ユーザの識別情報と関連付けて記憶する送信先情報登録ステップと、上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、上記第二ユーザの付加情報登録要求情報に基づいて、第二メッセージ情報を上記第一メッセージ情報と関連付けて記憶する付加情報登録ステップと、上記付加情報登録要求情報に基づいて、上記第一メッセージ情報に上記第二メッセージ情報を付加したメッセージ情報を作成するメッセージ作成ステップと、上記第二ユーザの送信要求情報に基づいて、上記メッセージ情報を上記送信先情報登録手段に記憶されている送信先に送信するメッセージ送信ステップとを有することを特徴とする。
【００２０】
当該メッセージ配信方法にあっては、第一メッセージ情報登録ステップ、送信操作者情報登録ステップ及び送信先情報登録ステップにより、第一メッセージ情報、メッセージ送信操作者及びメッセージ送信先を第一ユーザの識別情報と関連付けて記憶する。また、付加情報登録手段により、第二ユーザの付加情報登録要求に基づき第二メッセージ情報を第一メッセージ情報と関連付けて記憶する。そして、メッセージ作成ステップにより上記第一メッセージに上記第二メッセージが付加されたメッセージを作成し、メッセージ送信ステップにより上記送信先情報登録ステップに記憶されている送信先に送信する。このため、第一メッセージ情報、メッセージ送信操作者及びメッセージ送信先を登録した第一ユーザが、メッセージを直接送信することなく、この第一ユーザが指定した送信者（第二ユーザ）の送信要求により、メッセージを送信することができる。また、メッセージの送信は、送信者の送信操作により行われるため、送信者として記憶されている第二ユーザが送信タイミングを考慮することにより、適切なタイミングでメッセージが送信される。
【００２１】
また、アクセス制限ステップにより、メッセージ送信先情報、第一メッセージ情報及び送信操作者情報に関するアクセスはこれらの情報を登録した第一ユーザのみに許容される。これにより、メッセージ送信先、第一メッセージ情報及び送信操作者に関する情報は、これらの情報を登録した第一ユーザ以外からはアクセスできない。これにより、メッセージ送信操作者として登録された第二ユーザにはメッセージ送信先が秘匿にされたまま、メッセージが改変されることなく送信されることが可能となる。
【発明の効果】
【００２２】
以上説明したように、本発明のメッセージ配信システム及びメッセージ配信方法は、本人のメッセージの内容が改変されるおそれがなく、かつこのメッセージを適切なタイミングで本人が希望する人に対して送信することを可能とする。
【図面の簡単な説明】
【００２３】
【図１】本発明の一実施形態に係るメッセージ配信システムを示す概略ブロック図である。
【図２】図１のメッセージ配信システムにおけるユーザの識別情報登録の際の通信端末とサーバとの接続方法を示すシーケンス図である。
【図３】図１のメッセージ配信システムのメニュー画面の一例を示す図である。
【図４】図１のメッセージ配信システムにおける送信先情報、第一メッセージ情報及び送信操作者情報が記憶される際の通信端末とサーバとの接続方法を示すシーケンス図である。
【図５】図１のメッセージ配信システムの送信先登録画面の一例を示す図である。
【図６】図１のメッセージ配信システムの第一メッセージ登録画面の一例を示す図である。
【図７】図１のメッセージ配信システムの送信操作者登録画面の一例を示す図である。
【図８】図１のメッセージ配信システムにおける見積依頼の際の通信端末とサーバとの接続方法を示すシーケンス図である。
【図９】図１のメッセージ配信システムにおける第二メッセージ情報の記憶及びメッセージの送信の際の通信端末とサーバとの接続方法を示すシーケンス図である。
【図１０】図１のメッセージ配信システムの第二メッセージ登録画面の一例を示す図である。
【図１１】図１のメッセージ配信システムの送信されたメッセージが表示された画面の一例を示す図である。
【発明を実施するための形態】
【００２４】
以下、図面を参酌しつつ本発明の実施の形態を説明する。
【００２５】
図１に示す当該メッセージ配信システム１は、携帯用リーダライタ２、通信端末３、サーバ４及び通信ネットワーク５を備える。携帯用リーダライタ２及び通信端末３は、実際には複数存在している。
【００２６】
当該メッセージ配信システム１は、遺言メッセージ及び葬儀情報に関するエンディングメッセージを送信するのに用いられる。
【００２７】
＜携帯用リーダライタ２＞
携帯用リーダライタ２は、通信部６、通信制御部７及び記憶部８を有する。携帯用リーダライタ２は、一般的には、扁平な直方体状に形成される。携帯用リーダライタ２の大きさとしては、特に限定されないが、奥行及び幅が２．５ｃｍ〜４．０ｃｍ程度、高さが０．５ｃｍ〜２．０ｃｍ程度とされる。
【００２８】
通信部６は、アンテナ（図示せず）を有する。通信部６は、アンテナを介して通信端末３の有する非接触ＩＣチップ１５との間の近距離無線通信を行う。通信部６は、通信端末３から非接触ＩＣチップＩＤを受信する。また、通信部６は、暗号化された非接触ＩＣチップＩＤ及びリーダライタＩＤ、並びにサーバ４のホームページに接続するための固有のＵＲＬを通信端末３に送信する。
【００２９】
通信制御部７は、携帯用リーダライタ２と非接触ＩＣチップ１５との近距離無線通信を制御する。通信制御部７は、非接触ＩＣチップ１５との近距離無線通信によって通信端末３側から非接触ＩＣチップＩＤを受信すると、この非接触ＩＣチップＩＤと記憶部８に格納されているリーダライタＩＤとを記憶部８に格納されている乱数表に基づいて暗号化する。通信制御部７は、これらの暗号化されたＩＤ及び記憶部８に格納されているサーバ４のホームページに接続するための固有のＵＲＬを通信端末３側に送信する。携帯用リーダライタ２と非接触ＩＣチップ１５との近距離無線通信は、携帯用リーダライタ２が備える送信スイッチ（図示せず）を押すことによって実行される。
【００３０】
記憶部８は、通信制御部７が実行する動作プログラムや、この動作プログラムの処理に必要となるデータ等を記憶する。記憶部８には、リーダライタＩＤ、乱数表及びこの乱数表に基づいてリーダライタＩＤと非接触ＩＣチップＩＤとを暗号化する暗号化プログラムが格納される。また、記憶部８には、サーバ４のホームページに接続するための固有のＵＲＬが格納される。
【００３１】
＜通信端末３＞
通信端末３は、通信部９、入力部１０、表示部１１、制御部１２及び記憶部１３を有する。また、当該メッセージ配信システム１は、上述のように、複数の通信端末３を有している。
【００３２】
通信部９は、アンテナ（図示せず）を有する。通信部９は、アンテナを介して携帯用リーダライタ２との間の近距離無線通信を行う。また、通信部９は、アンテナを介してサーバ４とのネットワーク通信を行う。通信部９は、携帯用リーダライタ２及びサーバ４から受信した信号を制御部１２に通知する。通信部９は、制御部１２から受信した信号を携帯用リーダライタ２及びサーバ４に送信する。
【００３３】
入力部１０は、プッシュボタンやカーソルキー等の各種ボタンを有する。入力部１０は、ユーザからの入力によって、その入力内容に応じた操作信号を制御部１２に通知する。また、入力部１０として、タッチパネルを用いることもできる。
【００３４】
表示部１１は、液晶その他の表示素子によって構成される。表示部１１は、文字情報や映像・画像情報、操作・動作に係る種々の情報の表示を行う。
【００３５】
制御部１２は、通信制御手段１４及び非接触ＩＣチップ１５を有する。
【００３６】
制御部１２は、通信制御手段１４として、携帯用リーダライタ２と通信端末３との近距離無線通信の制御を行う。また、制御部１２は、通信制御手段１４として、非接触ＩＣチップ１５に格納されている非接触ＩＣチップＩＤを携帯用リーダライタ２側に送信する。さらに、制御部１２は、通信制御手段１４として、携帯用リーダライタ２側から送られる暗号化されたリーダライタＩＤ、暗号化された非接触ＩＣチップＩＤ及び所定のＵＲＬを非接触ＩＣチップ１５に送信する。また、制御部１２は、通信制御手段１４として、通信端末３とサーバ４とのネットワーク通信を制御する。
【００３７】
非接触ＩＣチップ１５は、携帯用リーダライタ２から所定の電磁波を受信することにより起動する。非接触ＩＣチップ１５は、固有の非接触ＩＣチップＩＤを有している。非接触ＩＣチップ１５は、携帯用リーダライタ２との近距離無線通信により非接触ＩＣチップＩＤを携帯用リーダライタ２側に送信する。非接触ＩＣチップ１５は、携帯用リーダライタ２側から、暗号化されたリーダライタＩＤ及び暗号化された非接触ＩＣチップＩＤ、並びにサーバ４のホームページに接続するための固有のＵＲＬを受け取ると、通信端末３のブラウザを立ち上げる。非接触ＩＣチップ１５は、これらの暗号化されたリーダライタＩＤ及び暗号化された非接触ＩＣチップＩＤ、並びにサーバ４のホームページへの接続ＵＲＬを表示してサーバ４に接続する。非接触ＩＣチップ１５としては、例えば、フェリカ（登録商標）チップを挙げることができる。
【００３８】
記憶部１３は、制御部１２が実行する動作プログラムや、この動作プログラムの処理に必要となるデータ等を記憶する。
【００３９】
＜サーバ４＞
サーバ４は、通信部１６、制御部１７及び記憶部１８を有する。
【００４０】
通信部１６は、通信ネットワーク５を介して通信端末３とのネットワーク通信を行う。通信部１６は、通信端末３から送信されるリーダライタＩＤ、非接触ＩＣチップＩＤ等を受信する。通信部１６は、通信端末３から受信したリーダライタＩＤ、非接触ＩＣチップＩＤ及びその他の信号を制御部１７に通知する。また、通信部１６は、制御部１７から受信した信号を通信端末３に送信する。
【００４１】
制御部１７は、ユーザ識別情報登録手段１９、通信端末登録手段２０、送信先情報登録手段２１、第一メッセージ情報登録手段２２、送信操作者情報登録手段２３、送信操作者通知手段２４、拒否情報通知手段２５、アクセス制限手段２６、見積依頼手段２７、付加情報登録手段２８、メッセージ作成手段２９、メッセージ送信手段３０を有する。
【００４２】
制御部１７は、通信端末３とサーバ４とのネットワーク通信の制御を行う。制御部１７は、通信端末３から送信される暗号化されたリーダライタＩＤと暗号化された非接触ＩＣチップＩＤとを復号化する。制御部１７は、この復号結果を通信端末３に送信する。
【００４３】
制御部１７は、通信端末３から送信されるリーダライタＩＤ及び非接触ＩＣチップＩＤを登録する。
【００４４】
制御部１７は、ホームページ画面及びメニュー画面３１を表示する。
【００４５】
制御部１７は、ユーザ識別情報登録手段１９として、ユーザ登録画面を表示する。また、制御部１７は、通信端末３のユーザによる入力及び送信操作に基づいて、ユーザ識別情報を記憶させる。このユーザ識別情報の記憶は、それぞれのユーザに固有のユーザＩＤを付与し、このユーザＩＤを記憶部１８に格納することにより行われる。
【００４６】
制御部１７は、通信端末登録手段２０として、通信端末３とユーザの識別情報とを関連付ける。この関連付けは、ユーザの識別情報の記憶時に受信した通信端末３の非接触ＩＣチップＩＤと上記ユーザＩＤとを関連付けて記憶部１８に格納することにより行われる。
【００４７】
制御部１７は、送信先情報登録手段２１として、通信端末３に送信先登録画面３４を表示する。また、制御部１７は、送信先情報登録手段２１として、通信端末３のユーザによる入力及び送信操作に基づいて、メッセージの送信先情報を記憶させる。このメッセージの送信先情報の記憶は、送信先として登録されたユーザの識別情報（送信先情報）を通信端末３の第一ユーザの識別情報に関連付けて記憶部１８に格納することにより行われる。
【００４８】
制御部１７は、第一メッセージ登録手段２２として、通信端末３に第一メッセージ登録画面３７を表示する。また、制御部１７は、第一メッセージ登録手段２２として、通信端末３のユーザによる入力及び送信操作に基づいて、第一メッセージ情報を記憶させる。この第一メッセージ情報の記憶は、入力された第一メッセージ情報を通信端末３の第一ユーザの識別情報に関連付けて記憶部１８に格納することにより行われる。
【００４９】
制御部１７は、送信操作者情報登録手段２３として、通信端末３に送信者登録画面４０を表示する。また、制御部１７は、送信操作者情報登録手段２３として、通信端末３のユーザによる入力及び送信操作に基づいて、メッセージの送信操作者情報を記憶させる。この送信操作者の登録は、送信操作者として記憶された第二ユーザの識別情報（送信者情報）を通信端末３の第一ユーザの識別情報に関連付けて記憶部１８に格納することにより行われる。
【００５０】
制御部１７は、送信操作者通知手段２４として、送信操作者に指定された第二ユーザに送信操作者として指定された旨の情報を送信する。
【００５１】
制御部１７は、拒否情報通知手段２５として、送信操作者に指定された第二ユーザによる拒否情報に基づいて、送信操作者を指定した第一ユーザに第二ユーザが送信操作者となることを拒否した旨の情報を送信する。
【００５２】
制御部１７は、アクセス制限手段２６として、上記送信先情報、第一メッセージ情報及び送信操作者情報に対するアクセスをこれらの情報に関連付けられて記憶されている識別情報の第一ユーザのみに許容する設定を行う。
【００５３】
制御部１７は、通信端末３にメッセージ送信先の合計数を表示する。このメッセージ送信先の合計数は、送信先情報に関連付けられているユーザの識別情報の第一ユーザごとに算出される。
【００５４】
制御部１７は、見積依頼手段２７として、通信端末３に見積依頼画面を表示する。また、制御部１７は、見積依頼手段２７として、通信端末３の第二ユーザによる入力及び送信操作に基づいて、見積依頼を送信する。この見積依頼の送信は、入力された見積依頼情報を複数の業者に対し送信することにより行われる。
【００５５】
制御部１７は、付加情報登録手段２８として、通信端末３に第二メッセージ登録画面４３を表示する。また、制御部１７は、付加情報登録手段２８として、通信端末３の第二ユーザによる入力及び送信操作に基づいて、第二メッセージ情報を記憶させる。また、制御部１７は、付加情報登録手段２８として、この第二メッセージ情報を第一メッセージ情報とを関連付ける。関連付けられる第一メッセージ情報とは、第二ユーザの識別情報と送信操作者情報登録手段２３により関連付けられている第一ユーザの識別情報を取得し、この第一ユーザの識別情報に第一メッセージ登録手段２２により関連付けられている第一メッセージ情報である。第二メッセージ情報の記憶と関連付けは、これらの情報が記憶部１８に格納されることにより行われる。
【００５６】
制御部１７は、メッセージ作成手段２９として、付加情報登録手段２８により関連付けられた上記第一メッセージ情報に上記第二メッセージ情報を付加したメッセージ情報を作成する。
【００５７】
制御部１７は、メッセージ送信手段３０として、メッセージ作成手段２９により作成されたメッセージ情報を送信する。送信されるメッセージの送信先としては、上記第一メッセージ情報に第一メッセージ情報登録手段２２により関連付けられている第一ユーザの識別情報を取得し、この第一ユーザの識別情報に送信先情報登録手段２１により関連付けられている送信先に送信する。
【００５８】
記憶部１８は、制御部１７が実行する動作プログラムや、この動作プログラムの処理に必要となるデータ等を記憶する。記憶部１８には、リーダライタＩＤ、非接触ＩＣチップＩＤ、ユーザの識別情報、送信先情報、第一メッセージ情報、送信操作者情報、第二メッセージ情報等が格納される。また、記憶部１８には、暗号化されたリーダライタＩＤ及び暗号化された非接触ＩＣチップＩＤを復号化するための復号鍵が格納される。さらに、記憶部１８には、見積依頼を送信する際の見積依頼の送信先情報が記憶される。
【００５９】
＜通信ネットワーク５＞
通信ネットワーク５は、典型的にはインターネットである。通信ネットワーク５は、通信端末３及びサーバ４を接続可能に構成されている。通信ネットワーク５は、通信端末３とサーバ４とを直接接続してもよく、また移動通信網用サーバ（図示せず）を介して接続してもよい。移動通信網用サーバを介して通信端末３とサーバ４とを接続する場合、通信端末３と移動通信網用サーバとは、移動通信網（図示せず）によって接続され、移動通信網用サーバとサーバ４とが通信ネットワーク５によって接続される。
【００６０】
次に、メッセージ配信方法について説明する。当該メッセージ配信方法は、ユーザ識別情報登録手順（ユーザ識別情報登録ステップ）と、送信先登録手順（送信先情報登録ステップ）と、第一メッセージ情報登録手順（第一メッセージ情報登録ステップ）と、送信操作者情報登録手順（送信操作者情報登録ステップ、アクセス制限ステップ）と、一括見積依頼手順と、第二メッセージ情報の登録及びメッセージ送信手順（付加情報登録ステップ、メッセージ作成ステップ、メッセージ送信ステップ）とを有する。
【００６１】
＜ユーザ識別情報登録手順＞
ユーザ識別情報登録の手順について、図２を参酌しつつ説明する。
【００６２】
まず、携帯用リーダライタ２は、通信端末３の有する非接触ＩＣチップと近距離無線通信を行う。これにより、携帯用リーダライタ２は、通信端末３から非接触ＩＣチップＩＤを受信する。携帯用リーダライタ２は、記憶部８に格納されているリーダライタＩＤ及び受信した非接触ＩＣチップＩＤを、記憶部８に格納されている乱数表に基づき暗号化したうえで、通信端末３に送信する。また、携帯用リーダライタ２は、これらの暗号化されたＩＤとともに、記憶部８に保存されている、サーバ４のホームページに接続するためのＵＲＬを通信端末３に送信する。
【００６３】
通信端末３の非接触ＩＣチップ１５は、この暗号化されたリーダライタＩＤ、暗号化された非接触ＩＣチップＩＤ及びサーバ４のホームページに接続するためのＵＲＬを受信する。そして、非接触ＩＣチップ１５は、通信端末３のブラウザを立ち上げ、サーバ４のホームページに接続するためのＵＲＬ並びに暗号化されたリーダライタＩＤ及び暗号化された非接触ＩＣチップＩＤを表示してサーバ４に接続する。
【００６４】
サーバ４は、これらの暗号化されたＩＤを受信する。サーバ４は、これらのＩＤを復号化して、認証結果を通信端末３に送信する。通信端末３は、この認証を受けて、サーバ４のホームページへの接続要求を行う。これに対し、サーバ４は、接続許可を行い、制御部１７により、ホームページ画面を通信端末３の表示部１１に表示させる。
【００６５】
通信端末３には、上記ホームページの画面を介し、ユーザ登録画面が表示される。
【００６６】
ユーザ登録画面は、ユーザ情報入力部及び登録部を有する。ユーザ情報入力部は、メールアドレスやニックネーム等、所定のユーザ情報を入力する入力項目を有する。登録部は、入力事項をサーバ４に送信するためのボタンである。サーバ４への登録を希望するユーザは、ユーザ情報入力部に必要事項を入力して登録部を選択することにより、ユーザの登録情報がサーバ４に送信され、サーバ４へユーザの識別情報が記憶される。
【００６７】
また、ユーザ情報は、通信端末３から受信したリーダライタＩＤ及び非接触ＩＣチップＩＤとが関連付けられてサーバ４へ記憶される。これにより、通信端末３とユーザの識別情報とが関連付けられる。
【００６８】
なお、かかるユーザ識別情報登録は、上述の手順以外によって行うこともできる。例えば、通信端末３のユーザが上記ホームパージ画面の新規登録ボタンを押すことで、所定のＵＲＬに空メールを送信するようにしてもよい。そして、通信端末３のユーザがこの空メールに対する返信メールに表示される所定のＵＲＬにアクセスすることにより、ユーザ登録画面が表示されるようにしてもよい。
【００６９】
サーバ４は、ユーザ識別情報を登録した後、通信端末３の表示部１１にメニュー画面３１を表示させる。
【００７０】
＜送信先登録手順＞
次に、図３、図４及び図５を参酌しつつ、送信先登録の手順について説明する。
【００７１】
メニュー画面３１は、ユーザ識別情報の登録後に通信端末３の表示部１１に表示される。
【００７２】
また、メニュー画面３１は、既にユーザの識別情報を登録した第一ユーザが、通信端末３と携帯用リーダライタ２とを近距離無線通信させサーバにアクセスすることによっても表示される（図４参照）。そして、上記ユーザの識別情報登録により通信端末３のリーダライタＩＤ及び非接触ＩＣチップＩＤとユーザの識別情報とが関連付けられている情報に基づいて、サーバにアクセスしている通信端末３の非接触ＩＣチップＩＤからユーザの識別情報を識別する。なお、メニュー画面の表示の前にログイン画面を表示し、ユーザ認証を行ってユーザ識別情報を識別してもよい。
【００７３】
メニュー画面３１は、図３に示すように、メッセージ登録部３２及びメッセージ送信部３３を有する。なお、図３に示すメニュー画面３１は、遺言メッセージ（エンディングメッセージ）を送信するためのメニュー画面の一例である。
【００７４】
メッセージ登録部３２は、通信端末３のユーザ（第一ユーザ）に選択されることにより、通信端末３からサーバ４に送信情報登録要求を行う（図４参照）。これに対し、サーバ４は、制御部１７により、送信先登録画面３４を通信端末３の表示部１１に表示させる。
【００７５】
送信先登録画面３４は、図５に示すように、送信先選択部３５及び登録部３６を有する。なお、図５に示す送信先登録画面３４は、遺言メッセージ（エンディングメッセージ）の送信先情報を登録するための画面の一例である。
【００７６】
送信先選択部３５は、メッセージの送信先として指定可能な複数のユーザの識別情報がリスト表示される送信先候補リストが表示される。この送信先候補リストは、ユーザ識別情報登録により記憶された複数のユーザのユーザ識別情報、例えばユーザのニックネームが表示される。また、表示される複数のユーザ識別情報は、特に限定されないが、通信端末３が近距離通信した携帯用リーダライタ２の所有者のユーザの識別情報を表示することができる。なお、表示されるユーザの識別情報は、送信先登録画面３４が表示されている通信端末３の第一ユーザの識別情報は表示されない。
【００７７】
また、送信先選択部３５の送信先候補リストは、複数選択されることができる。これにより、複数の送信先を選択することができる。この複数の選択は、表示されるそれぞれのユーザの識別情報のニックネームの隣にチェックボックスが設けられ、このチェックボックスが選択されることによって行われる。
【００７８】
登録部３６は、通信端末３の第一ユーザに選択されることにより、送信先選択部３５において選択されたユーザの識別情報（送信先情報）を、送信メッセージ登録要求情報として生成し、通信端末３からサーバ４に送信する（図４参照）。これに対して、サーバ４は、制御部１７により、受信した送信先情報を通信端末３の第一ユーザの識別情報に関連付けて記憶部１８に格納する。そして、サーバ４は、制御部１７により、第一メッセージ登録画面３７を通信端末３の表示部１１に表示させる。
【００７９】
＜第一メッセージ情報登録手順＞
次に、図４及び図６を参酌しつつ、第一メッセージ情報登録の手順について説明する。
【００８０】
第一メッセージ登録画面３７は、図６に示すように、メッセージ入力部３８及び登録部３９を有する。なお、図６に示す第一メッセージ登録画面３７は、遺言メッセージ（エンディングメッセージ）を登録するための画面の一例である。
【００８１】
メッセージ入力部３８は、通信端末３の第一ユーザが送信したいメッセージが入力される。メッセージ入力部３８は、具体的には、送信したいメッセージのタイトルとそのメッセージの入力項目を有し、例えば図６に示すように、遺言情報に関するメッセージのタイトルとそのメッセージを入力するための項目を有することができる。
【００８２】
登録部３９は、通信端末３のユーザに選択されることにより、メッセージ入力部３８に入力されたメッセージ（第一メッセージ情報）が、送信メッセージ登録要求情報として送信される（図４参照）。これに対して、サーバ４は、制御部１７により、受信した第一メッセージ情報を通信端末３の第一ユーザの識別情報に関連付けて記憶部１８に格納する。そして、サーバ４は、制御部１７により、送信操作者登録画面４０を通信端末３の表示部１１に表示させる。
【００８３】
＜送信操作者情報登録手順＞
次に、図４及び図７を参酌しつつ、送信操作者情報登録の手順について説明する。
【００８４】
送信操作者登録画面４０は、図７に示すように、送信操作者選択部４１及び登録部４２を有する。なお、図７に示す送信操作者登録画面４０は、遺言メッセージ（エンディングメッセージ）を送信する送信者（喪主）を登録するための画面の一例である。
【００８５】
送信操作者選択部４１は、メッセージの送信操作者として指定可能な複数のユーザの識別情報がリスト表示される送信操作者候補リストが表示される。このリストは、ユーザ識別情報登録により記憶された通信端末３の複数のユーザの識別情報、例えばユーザのニックネームが表示される。また、表示される複数のユーザの識別情報は、特に限定されないが、通信端末３が近距離通信した携帯用リーダライタ２の所有者のユーザの識別情報を表示することができる。なお、表示されるユーザの識別情報は、送信操作者登録画面４０が表示されている通信端末３の第一ユーザの識別情報は表示されない。
【００８６】
また、送信操作者選択部４１の送信操作者候補リストは、表示されるそれぞれのユーザの識別情報のニックネームの隣にチェックボックスが表示されてもよい。このチェックボックスを選択することによって送信操作者を選択することができる。
【００８７】
登録部４２は、通信端末３のユーザに選択されることにより、送信操作者登録部４１において選択されたユーザの情報（送信操作者情報）を、送信メッセージ登録要求情報として生成し、通信端末３からサーバ４に送信する（図４参照）。これに対して、サーバ４は、制御部１７により、受信した送信操作者情報を通信端末３のユーザ（第一ユーザ）の識別情報に関連付けて記憶部１８に格納する。
【００８８】
また、サーバ４は、制御部１７により、送信操作者として登録されたユーザのメールアドレスに対して、通信端末３の第一ユーザのメッセージの送信操作者として登録された旨のメールを送信する。なお、送信操作者として登録されたユーザのメールアドレスは、送信操作者として登録されたユーザが、ユーザの識別情報登録により登録したメールアドレスを用いることができる。
【００８９】
さらに、サーバ４は、制御部１７により、第二ユーザが送信操作者に指定されたことに対して拒否する情報に基づいて、第二ユーザを送信操作者に指定した第一ユーザに対して第二ユーザが送信操作者となることを拒否する旨のメールを送信する。なお、第一ユーザのメールアドレスは、ユーザの識別情報登録により登録したメールアドレスを用いることができる。また、第二ユーザが送信操作者に指定されたことに対して拒否する場合においては、サーバ４は、制御部１１により、拒否情報を送信するための拒否要求画面を通信端末３に表示させて、この拒否要求画面の入力及び送信操作に基づいて拒否情報を受信してもよく、第二ユーザが所定のメールアドレスに定型の拒否要求のメールを送信することにより拒否情報を受信してもよい。
【００９０】
また、サーバ４は、制御部１７により、第二ユーザが送信操作者に指定されたことに対して承認した情報に基づいて、第二ユーザを送信操作者に指定した第一ユーザに対して第二ユーザが送信操作者となることを承認した旨のメールを送信する。これにより、第一ユーザは、第二ユーザの送信操作することの承認を知ることができるため、安心することができる。なお、第一ユーザのメールアドレスは、ユーザの識別情報登録により登録したメールアドレスを用いることができる。また、第二ユーザが送信操作者に指定されたことに対して承認する場合においては、サーバ４は、制御部１１により、承認情報を送信するための承認画面を通信端末３に表示させて、この承認画面の入力及び送信操作に基づいて承認情報を受信してもよく、第二ユーザが所定のメールアドレスに定型の承認メールを送信することにより承認情報を受信してもよい。
【００９１】
また、サーバ４は、制御部１７により、記憶部１８に格納された送信先情報、第一メッセージ情報及び送信操作者情報に対して、第一ユーザのみにアクセスを許容する設定を行う。これにより、許容されたユーザ以外の通信端末３からはこれら情報にアクセスすることができなくなる。つまり、送信先情報、第一メッセージ情報及び送信操作者情報を登録した第一ユーザのみが、これらの情報にアクセスすることができる。
【００９２】
＜一括見積依頼手順＞
次に、図８を参酌しつつ、一括見積の手順について説明する。
【００９３】
メニュー画面３１は、既にユーザの識別情報を登録した第二ユーザが、通信端末３と携帯用リーダライタ２とを近距離無線通信させサーバにアクセスすることによって表示される（図８参照）。そして、上記第二ユーザの識別情報の登録により通信端末３のリーダライタＩＤ及び非接触ＩＣチップＩＤと第二ユーザの識別情報とが関連付けられている情報に基づいて、サーバにアクセスしている通信端末３の非接触ＩＣチップＩＤから第二ユーザを識別する。なお、メニュー画面の表示の前にログイン画面を表示し、ユーザ認証を行ってユーザを識別してもよい。
【００９４】
メニュー画面３１は、上述のようにメッセージ送信部３３を有するが、このメッセージ送信部３３は、通信端末３のユーザ（第二ユーザ）に選択されることにより、通信端末３からサーバ４にメッセージ処理要求を行う（図８参照）。これに対し、サーバ４は、制御部１７により、通信端末３のユーザが他のユーザ（第一ユーザ）のメッセージの送信操作者として記憶部１８に登録されているか確認を行う。記憶部１８に登録されている場合は、処理選択画面を通信端末３の表示部１１に表示させる。なお、記憶部１８に登録されていない場合は、その旨のメッセージを通信端末３の表示部１１に表示させる。
【００９５】
処理選択画面は、一括見積依頼又は第二メッセージ情報を登録するためのそれぞれ画面に遷移するための画面である。この処理選択画面は、メッセージ送信先の合計数が表示される。この送信先の合計数の表示は、サーバ４が、制御部１７により、通信端末３の第二ユーザが送信操作者として登録されている情報に送信操作者情報登録手段２３により関連付けられている第一ユーザの識別情報を取得し、この第一ユーザの識別情報に送信先登録手段２２により関連付けられている送信先の合計数を算出したものを通信端末３の表示部１１に表示することにより行われる。なお、通信端末３の第二ユーザが複数のユーザ（第一ユーザ）により送信操作者として登録されている場合は、その送信操作者として登録したユーザごとに合計数を表示する。
【００９６】
処理選択画面は、一括見積依頼部及び第二メッセージ登録部を有する。通信端末３のユーザより、一括見積依頼部が選択されることにより、通信端末３からサーバ４に一括見積依頼要求を行う（図８参照）。これに対し、サーバ４は、制御部１７により、一括見積画面を通信端末３の表示部１１に表示させる。
【００９７】
一括見積画面は、複数の業者に見積もりを依頼するための画面である。具体的には、例えば、葬儀に関する見積を依頼する画面が挙げられる。この画面は、葬儀に関する見積に必要な事項を入力するための入力部と、入力した情報をサーバに送信するための登録部とを有することができる。通信端末３の第二ユーザにより、入力部に必要事項が入力され、登録部が選択されることにより、通信端末３から入力された見積要求情報がサーバ４に送信される（図８参照）。これに対して、サーバ４は、制御部１７により、記憶部１８に記憶されている見積依頼の送信先情報を参照して、複数の業者に見積依頼を送信する。これにより、複数の業者は、見積依頼を受信し入力内容に基づいて見積を行うことができ、その結果をユーザに伝えることができるため、ユーザは、複数の業者の見積結果から最良のものを選択することができる。
【００９８】
なお、複数の業者への見積依頼の送信は、予め登録されたメールアドレスを用いてメールが送信されてもよく、ユーザ登録により複数の業者を登録しておき、ユーザ識別情報登録されたユーザ情報に基づいて、見積依頼のメッセージが送信されてもよい。これにより、ユーザは、安心できる業者からの見積結果を入手することができる。
【００９９】
＜第二メッセージ情報の登録及びメッセージ送信の手順＞
次に、図９、図１０及び図１１を参酌しつつ、第二メッセージの登録及びメッセージ送信の手順について説明する。
【０１００】
通信端末３の第二ユーザによって上述の処理選択画面の第二メッセージ登録部が選択されることにより、通信端末３からサーバに第二メッセージ登録要求が行われる（図９参照）。これに対し、サーバ４は、制御部１７により、第二メッセージ登録画面４３を通信端末３の表示部１１に表示させる。
【０１０１】
第二メッセージ登録画面４３は、メッセージ送信操作者がメッセージを追加するための画面である。第二メッセージ登録画面４３は、図１０に示すように、メッセージ入力部４４及び登録部４５を有する。なお、図１０に示す第二メッセージ登録画面４３は、葬儀に関する情報を登録するための画面の一例である。
【０１０２】
メッセージ入力部４４は、メッセージ送信操作者が追加したいメッセージが入力される。メッセージ入力部４４は、具体的には、例えば、葬儀に関する情報が入力される項目を有することができる。
【０１０３】
登録部４５は、通信端末３の第二ユーザに選択されることにより、メッセージ入力部４４に入力されたメッセージ（第二メッセージ情報）を付加情報登録要求情報としてサーバ４に送信する（図９参照）。これに対して、サーバ４は、制御部１７により、受信した第二メッセージ情報を通信端末３の第二ユーザが送信操作者として記憶されている送信操作者情報に送信操作者情報登録手段２３により関連付けられているユーザ（第一ユーザ）の識別情報を取得し、この第一ユーザの識別情報に第一メッセージ情報登録手段２２により関連付けられている第一メッセージ情報とを関連付けて記憶部１８に格納する。
【０１０４】
そして、サーバ４は、制御部１７により、第二メッセージ情報に上記第一メッセージ情報とが関連付けられて記憶された後、この第一メッセージ情報に上記第二メッセージ情報を付加しメッセージ情報を作成する。そして、第一メッセージ４６及び第二メッセージ４７から構成されるメッセージ情報を上記第一ユーザの識別情報に送信先登録手段２２により関連付けられている送信先に送信する（図１１参照）。
【０１０５】
なお、第二ユーザが複数のユーザ（第一ユーザ）により送信操作者として登録されている場合は、送信操作者を登録したユーザ（第一ユーザ）ごとに第二メッセージが入力され、入力されたデータが送信操作者を登録したユーザ（第一ユーザ）ごとに関連付けられて登録される。また、メッセージの送信においても、送信操作者を登録したユーザ（第一ユーザ）ごとに行われる。
【０１０６】
＜利点＞
当該メッセージ配信システム１にあっては、サーバ４の制御部１７が、通信端末３の第一ユーザによる入力及び送信操作に基づいて、送信先情報、第一メッセージ情報、送信操作者情報を記憶する。そして、こられの送信先情報、第一メッセージ情報及び送信操作者情報を第一ユーザの識別情報に関連付ける。また、サーバ４の制御部１７が、送信操作者として記憶されている第二ユーザによる入力及び送信操作に基づいて、第二メッセージ情報を登録する。そして、この第二メッセージ情報を、この第二メッセージ情報を登録した第二ユーザが送信操作者として記憶されている送信操作者情報を登録した第一ユーザが登録した第一メッセージ情報に関連付ける。これにより、当該メッセージ配信システム１は、メッセージを伝えたいユーザ（第一ユーザ）が登録した第一メッセージ情報（例えば、遺言メッセージ）と、送信操作者として指定されたユーザ（第二ユーザ）が登録した第二メッセージ情報（例えば、葬儀情報）とを関連付けることができ、これらのメッセージと第一ユーザが登録した送信先とを紐付けることができる。従って、送信先情報、第一メッセージ情報及び送信操作者情報を登録した第一ユーザが直接メッセージを送信することなく、第一ユーザが送信操作者として指定した第二ユーザの入力及び送信操作により、第一メッセージ情報（遺言メッセージ）及び第二メッセージ情報（葬儀情報）が組み合わせられたメッセージが第一ユーザが希望する送信先に送信される。また、メッセージの送信は、送信操作者の送信操作により行われるため、送信操作者が送信するタイミングを考慮することにより、適切なタイミングでメッセージが送信されることが可能となる。
【０１０７】
また、サーバ４の制御部１７は、アクセス制限手段２６として、上記送信先情報、第一メッセージ情報及び送信操作者情報に対するアクセスをこれらの情報を登録した第一ユーザにのみ許容されるため、送信操作者情報として登録された第二ユーザはこれらの情報にアクセスすることができない。このため、第一ユーザの希望する送信先にメッセージが改変されることなく送信される。
【０１０８】
また、当該メッセージ配信システム１は、見積依頼手段を備えるため、当該メッセージ配信システム１において見積依頼を行うことができる。このため、見積結果を受けて第二メッセージ情報を作成する場合は、早期に第二メッセージ内容を確定させることができ、メッセージを送信することができる。
【０１０９】
また、送信操作者として登録された第二ユーザのメールアドレスに、送信操作者として登録された旨のメールが送信されるため、送信操作者として登録されたユーザは、送信操作者として登録されたことを遅滞なく知ることができる。また、第二ユーザが送信操作者となることを拒否した場合において、第一ユーザのメールアドレスにその旨のメールが送信されるため、第一ユーザは第二ユーザにより拒否されたことを知ることができる。
【０１１０】
また、送信操作者を登録するための送信操作者登録画面４０の送信操作者候補リスト、及び送信先を登録するための送信先登録画面３４の送信先候補リストに、ユーザの識別情報が表示されるため、第一ユーザは、送信操作者及び送信先を容易に選択することができる。また、選択することにより送信操作者及び送信先を指定することができるので、入力ミスを防ぐことができる。
【０１１１】
さらに、送信操作者として記憶された第二ユーザの通信端末３に、送信操作者として送信するメッセージの送信先の合計数が表示されるため、送信操作者として登録された第二ユーザは、メッセージの送信先数を把握することができる。このため、例えば、送信するメッセージが遺言メッセージ及び葬儀情報である場合において、メッセージ送信先の合計数を葬儀場を予約する際の参考情報とすることできる。
【０１１２】
また、当該メッセージ配信システム１は、通信端末３とユーザの識別情報との関連付けを通信端末３の非接触ＩＣチップＩＤにより行う場合においては、ユーザ識別情報を別途入力させることなく、通信端末３とユーザの識別情報とを関連付けることができるため、ユーザによるユーザＩＤ等の入力の労力をかけることはなく、他人によるなりすましを防ぐことができる。
【０１１３】
＜その他の実施形態＞
本発明は、上記実施形態の構成に限定されるものではなく、本発明の意図する範囲内において適宜設計変更可能であり、以下の実施形態も有する。
【０１１４】
上記実施形態において、当該メッセージ配信システム１が見積依頼手段２７を有することについて説明したが、当該メッセージ配信システムにおいては、見積依頼手段にかえて見積結果算出手段を採用することもできる。
【０１１５】
見積結果算出手段を有する当該メッセージ配信システムにおいては、サーバの制御部は、見積結果算出手段として、通信端末に一括見積画面を表示する。また、制御部は、見積結果算出手段として、通信端末の第二ユーザによる入力及び送信操作に基づいて、見積結果を自動に算出し、この算出結果を通信端末に表示する。この見積結果の自動算出は、入力された見積依頼の情報から記憶部に格納される見積算出用データに基づいて、制御部により算出される。
【０１１６】
また、見積結果算出手順としては、通信端末のユーザによる一括見積画面の入力及び送信操作に基づいて、通信端末からサーバに見積情報が送信されると、サーバは、制御部により、受信した見積情報と記憶部に格納されている見積算出用データに基づいて、見積結果を算出する。そして、サーバは、制御部により、算出した見積結果を通信端端末の表示部に表示させる。
【０１１７】
当該メッセージ配信システムが、見積結果算出手段を有することにより、ユーザは、見積結果を即座に入手することができるため、見積結果を受けて第二メッセージを迅速に登録できる。具体的には、例えば一括見積画面が、葬儀会社に対する葬儀の見積依頼画面であった場合において、葬儀の見積結果を即座に入手することができることにより、第二メッセージに葬儀に関する情報を迅速に入力することができ、メッセージの送信を行うことができる。
【０１１８】
また、当該メッセージ配信システムにおいては、携帯用リーダライタを用いない構成を採用することができる。かかる構成の場合は、サーバの制御部は、通信端末とユーザ識別情報との関連付けは、メニュー画面の前にログイン画面を設け、このログイン画面において入力されたユーザの識別情報（例えばログインＩＤ）を用いて行うことできる。
【０１１９】
また、当該メッセージ配信システムにおいては、通信端末は、パーソナルコンピュータを採用することができる。
【０１２０】
また、上記実施形態においては、送信先情報、第一メッセージ情報及び送信操作者情報は、それぞれの入力画面の送信操作の度に記憶部に格納される旨を説明したが、本発明はこれに限定されず、送信先登録画面及び第一メッセージ登録画面における送信操作の際は、送信先情報及び第一メッセージ情報は記憶部に格納されず、送信操作者登録画面の送信操作に基づいて、一括して送信先情報、第一メッセージ情報及び送信操作者情報を記憶部に格納されてもよい。
【０１２１】
当該メッセージ配信システムにおいては、各入力画面の入力の後、入力を確認するための確認画面を設けることも本発明の意図する範囲内である。
【０１２２】
また、上記実施形態においては、送信先登録画面３４及び送信操作者選択画面４０の送信先候補リスト及び送信操作者候補リストに、ユーザのニックネームが表示される旨を説明したが、本発明はこれに限定されない。送信先候補リスト及び送信操作者候補リストに表示されるユーザの識別情報は、ユーザが識別できる情報であればよく、例えばユーザＩＤやメールアドレス等が表示されてもよい。また、送信先選択画面３４及び送信操作者選択画面４０の送信先候補リスト及び送信操作者候補リストにかえて、送信先及び送信操作者を入力するための入力項目を採用し、直接送信先及び送信操作者が入力されてもよい。
【０１２３】
また、上記実施形態においては、メッセージを送信したい第一ユーザは、一つの第一メッセージを作成する前提で説明したが、複数の第一メッセージを作成し、それぞれ異なる送信先にメッセージを送信してもよい。なお、この場合は、第一メッセージごとにメッセージ送信先及び送信操作者、並びに第二メッセージを関連付ける。
【０１２４】
また、上記実施形態においては、遺言メッセージに関する配信について記載したが、これに限定されず、例えば配信するメッセージとして、結婚の際のメッセージを第一メッセージとして、結婚の際の祝会についてメッセージを第二メッセージとするメッセージの配信においても当該メッセージ配信システムを用いることができる。
【産業上の利用可能性】
【０１２５】
以上のように、本発明のメッセージ配信システム及びメッセージ配信方法は、本人のメッセージの内容が改変されるおそれがなく、かつこのメッセージを適切なタイミングで本人が希望する人に対して送信することができるため、遺言メッセージ等の配信に好適に使用される。
【符号の説明】
【０１２６】
１  メッセージ配信システム
２  携帯用リーダライタ
３  通信端末
４  サーバ
５  通信ネットワーク
６  通信部
７  通信制御部
８  記憶部
９  通信部
１０  入力部
１１  表示部
１２  制御部
１３  記憶部
１４  通信制御手段
１５  非接触ＩＣチップ
１６  通信部
１７  制御部
１８  記憶部
１９  ユーザ識別情報登録手段
２０  通信端末登録手段
２１  送信先情報登録手段
２２  第一メッセージ情報登録手段
２３  送信操作者情報登録手段
２４  送信操作者通知手段
２５  拒否情報通知手段
２６  アクセス制限手段
２７  見積依頼手段
２８  付加情報登録手段
２９  メッセージ作成手段
３０  メッセージ送信手段
３１  メニュー画面
３２  メッセージ登録部
３３  メッセージ送信部
３４  送信先登録画面
３５  送信先選択部
３６  登録部
３７  第一メッセージ登録画面
３８  メッセージ入力部
３９  登録部
４０  送信操作者登録画面
４１  送信操作者選択部
４２  登録部
４３  第二メッセージ登録画面
４４  メッセージ入力部
４５  登録部
４６  第一メッセージ
４７  第二メッセージ
【図１】
2014056324.tif 000003
【図２】
2014056324.tif 000004
【図３】
2014056324.tif 000005
【図４】
2014056324.tif 000006
【図５】
2014056324.tif 000007
【図６】
2014056324.tif 000008
【図７】
2014056324.tif 000009
【図８】
2014056324.tif 000010
【図９】
2014056324.tif 000011
【図１０】
2014056324.tif 000012
【図１１】
2014056324.tif 000013
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
通信端末と通信可能なサーバを備えるメッセージ配信システムであって、
上記サーバが、
上記通信端末のユーザの識別情報を記憶するユーザ識別情報登録手段と、
上記ユーザ識別情報登録手段に記憶された第一ユーザが要求する送信メッセージ登録要求情報に基づいて、上記第一ユーザにより入力された第一メッセージ情報を上記第一ユーザの識別情報と関連付けて記憶する第一メッセージ情報登録手段と、
上記送信メッセージ登録要求情報に基づいて、第一メッセージ情報を送信操作する第二ユーザの識別情報を上記第一ユーザの識別情報と関連付けて記憶する送信操作者情報登録手段と、
上記送信メッセージ登録要求情報に基づいて、上記第一メッセージ情報の送信先である複数の送信先情報を上記第一ユーザの識別情報と関連付けて記憶する送信先情報登録手段と、
上記第一メッセージ情報登録手段によって記憶されている第一メッセージ情報、上記送信操作者情報登録手段によって記憶されている第二ユーザの識別情報、及び上記送信先情報登録手段によって記憶されている送信先情報に対するアクセスを上記第一ユーザのみに許容するアクセス制限手段と、
上記第二ユーザの付加情報登録要求情報に基づいて、上記第二ユーザにより入力された第二メッセージ情報を上記第一メッセージ情報と関連付けて記憶する付加情報登録手段と、
上記付加情報登録要求情報に基づいて、上記第一メッセージ情報に上記第二メッセージ情報を付加したメッセージ情報を作成するメッセージ作成手段と、
上記第二ユーザの送信要求情報に基づいて、上記メッセージ情報を上記送信先情報登録手段に記憶されている送信先に送信するメッセージ送信手段と、
上記第二ユーザが上記送信操作者情報登録手段によって記憶されていることを確認して、上記第二ユーザの通信端末に処理選択画面を表示させ、上記第二ユーザがこの処理選択画面から一括見積依頼部を選択して入力した見積要求情報に基づいて、見積依頼する見積依頼手段とを有し、
上記見積依頼手段が、上記第一ユーザの登録により予め登録された業者へ見積依頼を送信することを特徴とするメッセージ配信システム。
【請求項２】
上記サーバと通信可能な通信端末と、
この通信端末と通信可能な携帯用リーダライタとをさらに備え、
上記通信端末が、上記携帯用リーダライタと近距離無線通信可能な非接触ＩＣチップを有し、
上記サーバが、上記非接触ＩＣチップを上記ユーザの識別情報と関連付けて記憶する通信端末登録手段を有する請求項１に記載のメッセージ配信システム。
【請求項３】
上記送信メッセージ登録要求情報に基づいて、上記第二ユーザに対して第一ユーザの送信操作者に指定されたことを通知する送信操作者通知手段と、
上記第一ユーザの送信操作者に指定されたことに対する上記第二ユーザの拒否要求情報に基づいて、第一ユーザに拒否情報を通知する拒否情報通知手段とをさらに有する請求項１又は請求項２に記載のメッセージ配信システム。
【請求項４】
上記送信先情報登録手段が、通信端末に第一ユーザ以外のユーザの識別情報を送信先候補リストとしてリスト表示し、このリストに対する上記第一ユーザの選択に基づいて上記送信メッセージ登録要求情報を生成する請求項１、請求項２又は請求項３に記載のメッセージ配信システム。
【請求項５】
上記送信操作者情報登録手段が、通信端末に第一ユーザ以外のユーザの識別情報を送信操作者候補リストとしてリスト表示し、このリストに対する上記第一ユーザの選択に基づいて上記送信メッセージ登録要求情報を生成する請求項１から請求項４のいずれか１項に記載のメッセージ配信システム。
【請求項６】
上記第二ユーザの通信端末にこの第二ユーザを送信操作者として指定した第一ユーザによって指定された送信先の合計数を表示する請求項１から請求項５のいずれか１項に記載のメッセージ配信システム。
【請求項７】
上記第一メッセージ情報登録手段が、遺言情報に関するメッセージを登録するための画面を表示し、
上記付加情報登録手段が、葬儀情報に関する情報を登録するための画面を表示する請求項１から請求項６のいずれか１項に記載のメッセージ配信システム。
【請求項８】
通信端末と通信可能なサーバを用いたメッセージ配信方法であって、
通信端末のユーザの識別情報を記憶するユーザ識別情報登録ステップと、
上記ユーザ識別情報登録ステップにおいて記憶された第一ユーザが要求する送信メッセージ登録要求情報に基づいて、上記第一ユーザにより入力された第一メッセージ情報を上記第一ユーザの識別情報と関連付けて記憶する第一メッセージ情報登録ステップと、
上記送信メッセージ登録要求情報に基づいて、第一メッセージ情報を送信操作する第二ユーザの識別情報を上記第一ユーザの識別情報と関連付けて記憶する送信操作者情報登録ステップと、
上記送信メッセージ登録要求情報に基づいて、上記第一メッセージ情報の送信先である複数の送信先情報を上記第一ユーザの識別情報と関連付けて記憶する送信先情報登録ステップと、
上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、
上記第二ユーザの付加情報登録要求情報に基づいて、上記第二ユーザにより入力された第二メッセージ情報を上記第一メッセージ情報と関連付けて記憶する付加情報登録ステップと、
上記付加情報登録要求情報に基づいて、上記第一メッセージ情報に上記第二メッセージ情報を付加したメッセージ情報を作成するメッセージ作成ステップと、
上記第二ユーザの送信要求情報に基づいて、上記メッセージ情報を上記送信先情報登録手段に記憶されている送信先に送信するメッセージ送信ステップと、
上記第二ユーザが上記送信操作者情報登録ステップによって記憶されていることを確認して、上記第二ユーザの通信端末に処理選択画面を表示させ、上記第二ユーザがこの処理選択画面から一括見積依頼部を選択して入力した見積要求情報に基づいて、見積依頼する見積依頼ステップとを有し、
上記見積依頼ステップが、上記第一ユーザの登録により予め登録された業者へ見積依頼を送信することを特徴とするメッセージ配信方法。
【手続補正２】
【補正対象書類名】明細書
【補正対象項目名】０００８
【補正方法】変更
【補正の内容】
【０００８】
上記課題を解決するためになされた本発明のメッセージ配信システムは、通信端末と通信可能なサーバを備えるメッセージ配信システムであって、上記サーバが、通信端末のユーザの識別情報を記憶するユーザ識別情報登録手段と、上記ユーザ識別情報登録手段に記憶された第一ユーザが要求する送信メッセージ登録要求情報に基づいて、上記第一ユーザにより入力された第一メッセージ情報を上記第一ユーザの識別情報と関連付けて記憶する第一メッセージ情報登録手段と、上記送信メッセージ登録要求情報に基づいて、第一メッセージ情報を送信操作する第二ユーザの識別情報を上記第一ユーザの識別情報と関連付けて記憶する送信操作者情報登録手段と、上記送信メッセージ登録要求情報に基づいて、上記第一メッセージ情報の送信先である複数の送信先情報を上記第一ユーザの識別情報と関連付けて記憶する送信先情報登録手段と、上記第一メッセージ情報登録手段によって記憶されている第一メッセージ情報、上記送信操作者情報登録手段によって記憶されている第二ユーザの識別情報、及び上記送信先情報登録手段によって記憶されている送信先情報に対するアクセスを上記第一ユーザのみに許容するアクセス制限手段と、上記第二ユーザの付加情報登録要求情報に基づいて、上記第二ユーザにより入力された第二メッセージ情報を上記第一メッセージ情報と関連付けて記憶する付加情報登録手段と、上記付加情報登録要求情報に基づいて、上記第一メッセージ情報に上記第二メッセージ情報を付加したメッセージ情報を作成するメッセージ作成手段と、上記第二ユーザの送信要求情報に基づいて、上記メッセージ情報を上記送信先情報登録手段に記憶されている送信先に送信するメッセージ送信手段と、上記第二ユーザが上記送信操作者情報登録手段によって記憶されていることを確認して、上記第二ユーザの通信端末に処理選択画面を表示させ、上記第二ユーザがこの処理選択画面から一括見積依頼部を選択して入力した見積要求情報に基づいて、見積依頼する見積依頼手段とを有し、上記見積依頼手段が、上記第一ユーザの登録により予め登録された業者へ見積依頼を送信することを特徴とする。
【手続補正３】
【補正対象書類名】明細書
【補正対象項目名】００１２
【補正方法】変更
【補正の内容】
【００１２】
また、見積依頼手段を有することにより、見積依頼の手続きを迅速に行うことができる。これにより、第二ユーザが見積結果を受けて第二メッセージを作成する場合は、第二メッセージ内容を早期に確定でき、メッセージを早期に送信することができる。具体的には、例えば、遺言に関するメッセージを第一メッセージとして、第二メッセージとして葬儀に関する情報を登録する際、葬儀の見積りを迅速に依頼することができ、葬儀情報を早期に特定させることができる。これにより、早期に葬儀場所を含めた遺言メッセージを送信することができる。
【手続補正４】
【補正対象書類名】明細書
【補正対象項目名】００１３
【補正方法】削除
【補正の内容】
【手続補正５】
【補正対象書類名】明細書
【補正対象項目名】００１８
【補正方法】変更
【補正の内容】
【００１８】
また、上記第一メッセージ情報登録手段が、遺言情報に関するメッセージを登録するための画面を表示し、上記付加情報登録手段が、葬儀情報に関する情報を登録するための画面を表示することが好ましい。かかる構成により、遺言メッセージを登録することができ、かつ、遺言メッセージを付加した第一ユーザにより指定された送信操作者が、葬儀情報に関するメッセージを登録することができる。これにより、遺言メッセージを登録した第一ユーザが登録した送信先に葬儀情報を含めた遺言メッセージを送信することができる。
【手続補正６】
【補正対象書類名】明細書
【補正対象項目名】００１９
【補正方法】変更
【補正の内容】
【００１９】
また、本発明に係るメッセージ配信方法は、通信端末と通信可能なサーバを用いたメッセージ配信方法であって、通信端末のユーザの識別情報を記憶するユーザ識別情報登録ステップと、上記ユーザ識別情報登録ステップにおいて記憶された第一ユーザが要求する送信メッセージ登録要求情報に基づいて、上記第一ユーザにより入力された第一メッセージ情報を上記第一ユーザの識別情報と関連付けて記憶する第一メッセージ情報登録ステップと、上記送信メッセージ登録要求情報に基づいて、第一メッセージ情報を送信操作する第二ユーザの識別情報を上記第一ユーザの識別情報と関連付けて記憶する送信操作者情報登録ステップと、上記送信メッセージ登録要求情報に基づいて、上記第一メッセージ情報の送信先である複数の送信先情報を上記第一ユーザの識別情報と関連付けて記憶する送信先情報登録ステップと、上記第一メッセージ情報登録ステップによって記憶されている第一メッセージ情報、上記送信操作者情報登録ステップによって記憶されている第二ユーザの識別情報、及び上記送信先情報登録ステップによって記憶されている送信先情報に対するアクセスを上記第一ユーザのみに許容するアクセス制限ステップと、上記第二ユーザの付加情報登録要求情報に基づいて、上記第二ユーザにより入力された第二メッセージ情報を上記第一メッセージ情報と関連付けて記憶する付加情報登録ステップと、上記付加情報登録要求情報に基づいて、上記第一メッセージ情報に上記第二メッセージ情報を付加したメッセージ情報を作成するメッセージ作成ステップと、上記第二ユーザの送信要求情報に基づいて、上記メッセージ情報を上記送信先情報登録手段に記憶されている送信先に送信するメッセージ送信ステップと、上記第二ユーザが上記送信操作者情報登録ステップによって記憶されていることを確認して、上記第二ユーザの通信端末に処理選択画面を表示させ、上記第二ユーザがこの処理選択画面から一括見積依頼部を選択して入力した見積要求情報に基づいて、見積依頼する見積依頼ステップとを有し、上記見積依頼ステップが、上記第一ユーザの登録により予め登録された業者へ見積依頼を送信することを特徴とする。
【手続補正７】
【補正対象書類名】明細書
【補正対象項目名】００４８
【補正方法】変更
【補正の内容】
【００４８】
制御部１７は、第一メッセージ情報登録手段２２として、通信端末３に第一メッセージ登録画面３７を表示する。また、制御部１７は、第一メッセージ情報登録手段２２として、通信端末３のユーザによる入力及び送信操作に基づいて、第一メッセージ情報を記憶させる。この第一メッセージ情報の記憶は、入力された第一メッセージ情報を通信端末３の第一ユーザの識別情報に関連付けて記憶部１８に格納することにより行われる。
【手続補正８】
【補正対象書類名】明細書
【補正対象項目名】００４９
【補正方法】変更
【補正の内容】
【００４９】
制御部１７は、送信操作者情報登録手段２３として、通信端末３に送信操作者登録画面４０を表示する。また、制御部１７は、送信操作者情報登録手段２３として、通信端末３のユーザによる入力及び送信操作に基づいて、メッセージの送信操作者情報を記憶させる。この送信操作者の登録は、送信操作者として記憶された第二ユーザの識別情報（送信者情報）を通信端末３の第一ユーザの識別情報に関連付けて記憶部１８に格納することにより行われる。
【手続補正９】
【補正対象書類名】明細書
【補正対象項目名】００５５
【補正方法】変更
【補正の内容】
【００５５】
制御部１７は、付加情報登録手段２８として、通信端末３に第二メッセージ登録画面４３を表示する。また、制御部１７は、付加情報登録手段２８として、通信端末３の第二ユーザによる入力及び送信操作に基づいて、第二メッセージ情報を記憶させる。また、制御部１７は、付加情報登録手段２８として、この第二メッセージ情報を第一メッセージ情報と関連付ける。関連付けられる第一メッセージ情報とは、第二ユーザの識別情報と送信操作者情報登録手段２３により関連付けられている第一ユーザの識別情報を取得し、この第一ユーザの識別情報に第一メッセージ情報登録手段２２により関連付けられている第一メッセージ情報である。第二メッセージ情報の記憶と関連付けは、これらの情報が記憶部１８に格納されることにより行われる。
【手続補正１０】
【補正対象書類名】明細書
【補正対象項目名】００７６
【補正方法】変更
【補正の内容】
【００７６】
送信先選択部３５は、メッセージの送信先として指定可能な複数のユーザの識別情報がリスト表示される送信先候補リストが表示される。この送信先候補リストは、ユーザ識別情報登録により記憶された複数のユーザのユーザ識別情報、例えばユーザのニックネームが表示される。また、表示される複数のユーザ識別情報は、特に限定されないが、通信端末３が近距離通信した携帯用リーダライタ２の所有者のユーザの識別情報を表示することができる。なお、送信先登録画面３４が表示されている通信端末３の第一ユーザの識別情報は表示されない。
【手続補正１１】
【補正対象書類名】明細書
【補正対象項目名】００８５
【補正方法】変更
【補正の内容】
【００８５】
送信操作者選択部４１は、メッセージの送信操作者として指定可能な複数のユーザの識別情報がリスト表示される送信操作者候補リストが表示される。このリストは、ユーザ識別情報登録により記憶された通信端末３の複数のユーザの識別情報、例えばユーザのニックネームが表示される。また、表示される複数のユーザの識別情報は、特に限定されないが、通信端末３が近距離通信した携帯用リーダライタ２の所有者のユーザの識別情報を表示することができる。なお、送信操作者登録画面４０が表示されている通信端末３の第一ユーザの識別情報は表示されない。
【手続補正１２】
【補正対象書類名】明細書
【補正対象項目名】００８９
【補正方法】変更
【補正の内容】
【００８９】
さらに、サーバ４は、制御部１７により、第二ユーザが送信操作者に指定されたことに対して拒否する情報に基づいて、第二ユーザを送信操作者に指定した第一ユーザに対して第二ユーザが送信操作者となることを拒否する旨のメールを送信する。なお、第一ユーザのメールアドレスは、ユーザの識別情報登録により登録したメールアドレスを用いることができる。また、第二ユーザが送信操作者に指定されたことに対して拒否する場合においては、サーバ４は、制御部１７により、拒否情報を送信するための拒否要求画面を通信端末３に表示させて、この拒否要求画面の入力及び送信操作に基づいて拒否情報を受信してもよく、第二ユーザが所定のメールアドレスに定型の拒否要求のメールを送信することにより拒否情報を受信してもよい。
【手続補正１３】
【補正対象書類名】明細書
【補正対象項目名】００９０
【補正方法】変更
【補正の内容】
【００９０】
また、サーバ４は、制御部１７により、第二ユーザが送信操作者に指定されたことに対して承認した情報に基づいて、第二ユーザを送信操作者に指定した第一ユーザに対して第二ユーザが送信操作者となることを承認した旨のメールを送信する。これにより、第一ユーザは、第二ユーザの送信操作することの承認を知ることができるため、安心することができる。なお、第一ユーザのメールアドレスは、ユーザの識別情報登録により登録したメールアドレスを用いることができる。また、第二ユーザが送信操作者に指定されたことに対して承認する場合においては、サーバ４は、制御部１７により、承認情報を送信するための承認画面を通信端末３に表示させて、この承認画面の入力及び送信操作に基づいて承認情報を受信してもよく、第二ユーザが所定のメールアドレスに定型の承認メールを送信することにより承認情報を受信してもよい。
【手続補正１４】
【補正対象書類名】明細書
【補正対象項目名】００９５
【補正方法】変更
【補正の内容】
【００９５】
処理選択画面は、一括見積依頼又は第二メッセージ情報を登録するためのそれぞれ画面に遷移するための画面である。この処理選択画面は、メッセージ送信先の合計数が表示される。この送信先の合計数の表示は、サーバ４が、制御部１７により、通信端末３の第二ユーザが送信操作者として登録されている情報に送信操作者情報登録手段２３により関連付けられている第一ユーザの識別情報を取得し、この第一ユーザの識別情報に送信先情報登録手段２１により関連付けられている送信先の合計数を算出したものを通信端末３の表示部１１に表示することにより行われる。なお、通信端末３の第二ユーザが複数のユーザ（第一ユーザ）により送信操作者として登録されている場合は、その送信操作者として登録したユーザごとに合計数を表示する。
【手続補正１５】
【補正対象書類名】明細書
【補正対象項目名】０１０４
【補正方法】変更
【補正の内容】
【０１０４】
そして、サーバ４は、制御部１７により、第二メッセージ情報に上記第一メッセージ情報が関連付けられて記憶された後、この第一メッセージ情報に上記第二メッセージ情報を付加しメッセージ情報を作成する。そして、第一メッセージ４６及び第二メッセージ４７から構成されるメッセージ情報を上記第一ユーザの識別情報に送信先情報登録手段２１により関連付けられている送信先に送信する（図１１参照）。
【手続補正１６】
【補正対象書類名】明細書
【補正対象項目名】０１０６
【補正方法】変更
【補正の内容】
【０１０６】
＜利点＞
当該メッセージ配信システム１にあっては、サーバ４の制御部１７が、通信端末３の第一ユーザによる入力及び送信操作に基づいて、送信先情報、第一メッセージ情報、送信操作者情報を記憶する。そして、これらの送信先情報、第一メッセージ情報及び送信操作者情報を第一ユーザの識別情報に関連付ける。また、サーバ４の制御部１７が、送信操作者として記憶されている第二ユーザによる入力及び送信操作に基づいて、第二メッセージ情報を登録する。そして、この第二メッセージ情報を、この第二メッセージ情報を登録した第二ユーザが送信操作者として記憶されている送信操作者情報を登録した第一ユーザが登録した第一メッセージ情報に関連付ける。これにより、当該メッセージ配信システム１は、メッセージを伝えたいユーザ（第一ユーザ）が登録した第一メッセージ情報（例えば、遺言メッセージ）と、送信操作者として指定されたユーザ（第二ユーザ）が登録した第二メッセージ情報（例えば、葬儀情報）とを関連付けることができ、これらのメッセージと第一ユーザが登録した送信先とを紐付けることができる。従って、送信先情報、第一メッセージ情報及び送信操作者情報を登録した第一ユーザが直接メッセージを送信することなく、第一ユーザが送信操作者として指定した第二ユーザの入力及び送信操作により、第一メッセージ情報（遺言メッセージ）及び第二メッセージ情報（葬儀情報）が組み合わせられたメッセージが第一ユーザが希望する送信先に送信される。また、メッセージの送信は、送信操作者の送信操作により行われるため、送信操作者が送信するタイミングを考慮することにより、適切なタイミングでメッセージが送信されることが可能となる。
【手続補正１７】
【補正対象書類名】明細書
【補正対象項目名】０１１１
【補正方法】変更
【補正の内容】
【０１１１】
さらに、送信操作者として記憶された第二ユーザの通信端末３に、送信操作者として送信するメッセージの送信先の合計数が表示されるため、送信操作者として登録された第二ユーザは、メッセージの送信先数を把握することができる。このため、例えば、送信するメッセージが遺言メッセージ及び葬儀情報である場合において、メッセージ送信先の合計数を葬儀場を予約する際の参考情報とすることができる。
【手続補正１８】
【補正対象書類名】明細書
【補正対象項目名】０１１６
【補正方法】変更
【補正の内容】
【０１１６】
また、見積結果算出手順としては、通信端末のユーザによる一括見積画面の入力及び送信操作に基づいて、通信端末からサーバに見積情報が送信されると、サーバは、制御部により、受信した見積情報と記憶部に格納されている見積算出用データに基づいて、見積結果を算出する。そして、サーバは、制御部により、算出した見積結果を通信端末の表示部に表示させる。
【手続補正１９】
【補正対象書類名】明細書
【補正対象項目名】０１１８
【補正方法】変更
【補正の内容】
【０１１８】
また、当該メッセージ配信システムにおいては、携帯用リーダライタを用いない構成を採用することができる。かかる構成の場合は、サーバの制御部は、通信端末とユーザ識別情報との関連付けは、メニュー画面の前にログイン画面を設け、このログイン画面において入力されたユーザの識別情報（例えばログインＩＤ）を用いて行うことができる。